(57)【特許請求の範囲】
【請求項１】
データを記憶する記憶手段と、
前記記憶手段が記憶しているデータを記録媒体に記録する記録手段と、
前記記録手段がデータの記録を開始してから、予め設定された一定の高速記録時間後に、該記録手段の記録速度を高速度から通常速度に切り替える速度制御手段と、
から構成されていることを特徴とする記録装置。
【請求項２】
データを記憶する記憶手段と、
前記記憶手段が記憶しているデータを記録媒体に記録する記録手段と、
前記記録手段の記録速度を高速度から通常速度に切り替える速度制御手段と、
前記記憶手段が記憶しているデータを再生する再生手段と、
前記記憶手段が記憶しているデータの内、前記再生手段が再生しているデータを、前記記録手段が高速度で記録する際の記録速度を設定する速度設定手段と、を備え、
前記速度設定手段は、前記再生手段がデータの再生を開始してから高速記録時間が終了するまでの時間に応じて、該再生手段が再生しているデータを前記記録手段が高速度で記録する際の記録速度を設定する、
ことを特徴とする記録装置。
【請求項３】
前記記憶手段が記憶しているデータを再生する再生手段と、
前記記憶手段が記憶しているデータの内、前記再生手段が再生しているデータを、前記記録手段が高速度で記録する際の記録速度を設定する速度設定手段と、をさらに備え、
前記速度設定手段は、前記再生手段がデータの再生を開始してから高速記録時間が終了するまでの時間に応じて、該再生手段が再生しているデータを前記記録手段が高速度で記録する際の記録速度を設定する、
ことを特徴とする請求項１に記載の記録装置。
【請求項４】
前記速度設定手段は、前記再生手段によるデータの再生終了と、前記記録手段による該データの記録終了とが実質的に同時になるように、該記録手段が該データを高速度で記録する際の記録速度を設定する、ことを特徴とする請求項２又は３に記載の記録装置。
【請求項５】
メモリが記憶しているデータを記録媒体に記録する記録工程と、
前記記録工程でデータの記録を開始してから、予め設定された一定の高速記録時間後に、該記録工程で行う記録の速度を高速度から通常速度に切り替える速度制御工程と、
を備えることを特徴とする記録方法。
【請求項６】
メモリが記憶しているデータを記録媒体に記録する記録工程と、
前記記録工程で行う記録の速度を高速度から通常速度に切り替える速度制御工程と、
前記記録工程で記録したデータを再生する再生工程と、
前記記録工程で記録しているデータの内、前記再生工程で再生しているデータを、前記記録工程で高速度で記録する際の記録速度を設定する速度設定工程と、を備え、
前記速度設定工程は、前記再生工程でデータの再生を開始してから高速記録時間が終了するまでの時間に応じて、該再生工程で再生しているデータを前記記録工程で高速度で記録する際の記録速度を設定する、
ことを特徴とする記録方法。
【請求項７】
コンピュータを、
データを記憶する記憶手段と、
前記記憶手段が記憶しているデータを記録媒体に記録する記録手段と、
前記記録手段がデータの記録を開始してから、予め設定された一定の高速記録時間後に、該記録手段の記録速度を高速度から通常速度に切り替える速度制御手段と、して機能させるためのプログラム。
【請求項８】
コンピュータを、
データを記憶する記憶手段と、
前記記憶手段が記憶しているデータを記録媒体に記録する記録手段と、
前記記録手段の記録速度を高速度から通常速度に切り替える速度制御手段と、
前記記憶手段が記憶しているデータを再生する再生手段と、
前記記憶手段が記憶しているデータの内、前記再生手段が再生しているデータを、前記記録手段が高速度で記録する際の記録速度を設定する速度設定手段と、して機能させるプログラムであって、
前記速度設定手段は、前記再生手段がデータの再生を開始してから高速記録時間が終了するまでの時間に応じて、該再生手段が再生しているデータを前記記録手段が高速度で記録する際の記録速度を設定する、
ことを特徴とするプログラム。
【発明の詳細な説明】
【０００１】
【発明の属する技術分野】
本発明は、記録装置、記録方法、及びプログラムに関する。
【０００２】
【従来の技術】
デジタル放送の実現により、同じ放送周波数帯域で多くの番組を提供する多チャンネル放送や、天気予報や交通情報等のリアルタイムな情報を番組に付加するデータ放送等のサービスが提供されるようになった。
【０００３】
上記したデジタル放送等によって提供される沢山の番組は、ハードディスク等の大容量メモリに記録される場合がある。
また、大容量メモリを備える記録装置の中には、大容量メモリに記録してある番組を、再生しながらＤＶＤ（Digital Versatile Disc）等の記録媒体に記録できるものがある。
【０００４】
【発明が解決しようとする課題】
しかし、上記したような記録装置は、再生中の番組を記録媒体に記録する際、番組の放送時間（又は再生時間）と同じ時間をかけて記録媒体への記録を行う。言い換えると、再生中の番組を記録媒体に記録する際は、記録速度を制御することができない。このため、番組の再生途中で記録を開始すると、番組の再生が終了した後も番組の記録が行われ、例えば図５に示すように、番組の記録が完了するまでに長い時間がかかるという問題がある。
【０００５】
従って、本発明は、記録速度を制御できる記録装置を提供することを目的とする。また、本発明は、記録速度を制御するための記録方法及びプログラムを提供することを目的とする。
【０００６】
【課題を解決するための手段】
上記目的を達成するために、本発明の第１の観点にかかる記録装置は、データを記憶する記憶手段と、前記記憶手段が記憶しているデータを記録媒体に記録する記録手段と、前記記録手段がデータの記録を開始してから、予め設定された一定の高速記録時間後に、該記録手段の記録速度を高速度から通常速度に切り替える速度制御手段と、から構成されていることを特徴とする。
【０００７】
本発明の第２の観点にかかる記録装置は、データを記憶する記憶手段と、前記記憶手段が記憶しているデータを記録媒体に記録する記録手段と、前記記録手段の記録速度を高速度から通常速度に切り替える速度制御手段と、前記記憶手段が記憶しているデータを再生する再生手段と、前記記憶手段が記憶しているデータの内、前記再生手段が再生しているデータを、前記記録手段が高速度で記録する際の記録速度を設定する速度設定手段と、を備え、前記速度設定手段は、前記再生手段がデータの再生を開始してから高速記録時間が終了するまでの時間に応じて、該再生手段が再生しているデータを前記記録手段が高速度で記録する際の記録速度を設定する、ことを特徴とする。
【０００８】
前記記憶手段が記憶しているデータを再生する再生手段と、前記記憶手段が記憶しているデータの内、前記再生手段が再生しているデータを、前記記録手段が高速度で記録する際の記録速度を設定する速度設定手段と、をさらに備え、前記速度設定手段は、前記再生手段がデータの再生を開始してから高速記録時間が終了するまでの時間に応じて、該再生手段が再生しているデータを前記記録手段が高速度で記録する際の記録速度を設定してもよい。
【０００９】
前記速度設定手段は、前記再生手段によるデータの再生終了と、前記記録手段による該データの記録終了とが実質的に同時になるように、該記録手段が該データを高速度で記録する際の記録速度を設定してもよい。
【００１０】
本発明の第３の観点にかかる記録方法は、メモリが記憶しているデータを記録媒体に記録する記録工程と、前記記録工程でデータの記録を開始してから、予め設定された一定の高速記録時間後に、該記録工程で行う記録の速度を高速度から通常速度に切り替える速度制御工程と、を備えることを特徴とする。
【００１１】
本発明の第４の観点にかかる記録方法は、メモリが記憶しているデータを記録媒体に記録する記録工程と、前記記録工程で行う記録の速度を高速度から通常速度に切り替える速度制御工程と、前記記録工程で記録したデータを再生する再生工程と、前記記録工程で記録しているデータの内、前記再生工程で再生しているデータを、前記記録工程で高速度で記録する際の記録速度を設定する速度設定工程と、を備え、前記速度設定工程は、前記再生工程でデータの再生を開始してから高速記録時間が終了するまでの時間に応じて、該再生工程で再生しているデータを前記記録工程で高速度で記録する際の記録速度を設定する、ことを特徴とする。
本発明の第５の観点にかかるプログラムは、コンピュータを、データを記憶する記憶手段と、前記記憶手段が記憶しているデータを記録媒体に記録する記録手段と、前記記録手段がデータの記録を開始してから、予め設定された一定の高速記録時間後に、該記録手段の記録速度を高速度から通常速度に切り替える速度制御手段と、して機能させる。
本発明の第６の観点にかかるプログラムは、コンピュータを、データを記憶する記憶手段と、前記記憶手段が記憶しているデータを記録媒体に記録する記録手段と、前記記録手段の記録速度を高速度から通常速度に切り替える速度制御手段と、前記記憶手段が記憶しているデータを再生する再生手段と、前記記憶手段が記憶しているデータの内、前記再生手段が再生しているデータを、前記記録手段が高速度で記録する際の記録速度を設定する速度設定手段と、して機能させるプログラムであって、前記速度設定手段は、前記再生手段がデータの再生を開始してから高速記録時間が終了するまでの時間に応じて、該再生手段が再生しているデータを前記記録手段が高速度で記録する際の記録速度を設定する、ことを特徴とする。
【００１２】
【発明の実施の形態】
次に、本発明の実施の形態にかかる映像記録再生装置について図面を参照して説明する。
【００１３】
本発明の実施の形態にかかる映像記録再生装置は、図１に示すように、操作部１と、チャンネルデコーダ部２と、大容量メモリ３と、映像記録再生部４と、コネクタ部５と、制御部６と、から構成されている。
【００１４】
操作部１は、複数の操作ボタン等を備え、映像記録再生装置の利用者により操作される。操作部１は、利用者の操作に従って、映像記録再生装置を動作させるための様々な信号を制御部６に出力する。
【００１５】
チャンネルデコーダ部２は、図２（ａ）に示すように、復調・誤り訂正部２１と、タイムスタンプ生成部２２と、から構成されている。
復調・誤り訂正部２１は、アンテナ等を介して供給される所定チャンネルのデジタル放送データを選択する。そして、復調・誤り訂正部２１は、選択したデジタル放送データに８ＰＳＫ（8 Phase Shift Keying）等の復調処理及び誤り訂正処理を施し、ＭＰＥＧ２（Moving Picture Experts Group phase 2）形式等で圧縮された映像圧縮データを生成する。
【００１６】
タイムスタンプ生成部２２は、復調・誤り訂正部２１によって復調処理及び誤り訂正処理を施されたデジタル放送データから時刻に関するデータを抽出する。そして、タイムスタンプ生成部２２は、番組を構成する映像の放送時刻を示すタイムスタンプデータを所定タイミング毎に生成し、上記映像圧縮データに付加する。
【００１７】
大容量メモリ３は、ハードディスク等から構成される。大容量メモリ３が有するメモリ空間は、図２（ｂ）に示すように、入力保存メモリ空間３ａと、出力メモリ空間３ｂと、から構成されている。大容量メモリ３は、チャンネルデコーダ部２により生成された映像圧縮データ及びタイムスタンプデータを入力保存メモリ空間３ａに記憶する。また、大容量メモリ３は、映像を表示するために必要な映像圧縮データを入力保存メモリ空間３ａから出力メモリ空間３ｂにコピーして記憶する。
【００１８】
映像記録再生部４は、大容量メモリ３の入力保存メモリ空間３ａに記録されいる映像圧縮データをＤＶＤ（Digital Versatile Disc）等の記録媒体に記録する。また、映像記録再生部４は、記録媒体に記録されている映像圧縮データを再生する。
【００１９】
コネクタ部５は、ケーブル等を接続するためのコネクタを備える。テレビ等の映像表示装置１０は、コネクタ部５に接続されたケーブル等を介して映像記録再生装置に接続される。
【００２０】
制御部６は、ＲＡＭ（Random Access Memory）、ＲＯＭ（Read Only Memory）、及び、ＣＰＵ（Central Processing Unit ）等から構成されるマイクロコンピュータであり、予め提供されたプログラムに従って、映像記録再生装置の動作を制御する。なお、制御部６の詳しい動作については後述する。
【００２１】
次に、以上のように構成される映像記録再生装置の動作を説明する。
初めに、映像記録再生装置の利用者が、見たい番組を大容量メモリ３に記録する場合の動作について説明する。
【００２２】
映像記録装置の利用者は、操作部１を所定の手順で操作し、録画する番組（具体的には、チャンネル及び時間帯等）を選択する。映像記録装置の制御部６は、利用者が選択した番組（チャンネル及び時間帯等）をＲＡＭ等に保存する。これにより、記録対象番組が設定される。
【００２３】
制御部６は、以上のようにして設定された記録対象番組の放送開始時刻になると、予め提供されたプログラム等に従って映像記録再生装置の各部を制御し、以下に示すようにして、記録対象番組を大容量メモリ３に記録する。
【００２４】
初めに、制御部６は、チャンネルデコーダ部２の復調・誤り訂正部２１を制御し、アンテナ等を介して供給される複数のデジタル放送データの中から、利用者により設定された記録対象番組（チャンネル）のデジタル放送データを選択する。
【００２５】
復調・誤り訂正部２１は、制御部６の制御に従って選択した記録対象番組のデジタル放送データに復調及び誤り訂正等の処理を施し、ＭＰＥＧ２形式等で圧縮された映像圧縮データを生成する。
【００２６】
チャンネルデコーダ部２のタイムスタンプ生成部２２は、復調・誤り訂正部２１によって復調処理及び誤り訂正処理を施されたデジタル放送データから時刻に関するデータを抽出する。
【００２７】
そして、タイムスタンプ生成部２２は、番組を構成する映像の放送時刻を示すタイムスタンプデータを所定タイミング毎に生成し、上記映像圧縮データに付加する。
【００２８】
制御部６は、大容量メモリ３を制御し、タイムスタンプデータが付加された上記映像圧縮データを、入力保存メモリ空間３ａに順次記憶させる。
以上のようにして、利用者が選択した記録対象番組の映像圧縮データが大容量メモリ３に保存される。これにより、利用者が選択した記録対象番組が録画される。
【００２９】
次に、大容量メモリ３に記録されている映像圧縮データを利用者が鑑賞する場合の動作について説明する。
【００３０】
初めに、利用者は、操作部１を所定の手順で操作して、大容量メモリ３に記録されている番組の中から鑑賞する番組を選択する。そして、利用者は、選択した番組を再生するために、操作部１が備える所定の操作ボタン（再生ボタン）を押下する。これにより、操作部１は、利用者が選択した番組の再生を指示する再生信号を制御部６に出力する。
【００３１】
制御部６は、操作部１から供給される再生信号に応答し、予め提供されたプログラム等に従って、以下に示すようにして、大容量メモリ３に記録されている再生対象番組を再生する。
【００３２】
初めに、制御部６は、大容量メモリ３を制御し、入力保存メモリ空間３ａに記録されている再生対象番組の映像圧縮データを出力メモリ空間３ｂにコピーする。
【００３３】
そして、制御部６は、出力メモリ空間３ｂにコピーした映像圧縮データを伸張し、コネクタ部５を介してテレビ等の映像表示装置１０に出力する。これにより、利用者が選択した再生対象番組の映像が映像表示装置１０に表示され、利用者は、実際の放送時間に関係なく自由に番組を鑑賞することができる。
【００３４】
次に、以上のようにして再生されている番組を、番組の途中でＤＶＤ等の記録媒体に記録する場合の動作につい説明する。
【００３５】
番組の途中で鑑賞中の番組を記録媒体に記録する場合、利用者は、記録媒体を映像記録再生部４にセットし、操作部１が備える所定の操作ボタン（記録開始ボタン）を押下する。これにより、操作部１は、利用者が鑑賞している番組、即ち、再生中である番組の記録開始を指示する記録開始信号を制御部６に出力する。
【００３６】
制御部６は、操作部１から供給される記録開始信号に応答し、予め提供されたプログラム等に従って、図３に示す映像記録処理を行い、再生中の番組をＤＶＤ等の記録媒体に記録する。なお、以下に示すように、制御部６は、予め設定された高速記録時間だけ高速記録を行った後、通常速度（１倍速）で記録を行うことにより、再生中である番組の記録を、再生終了と実質的に同時に終了する。
【００３７】
初めに、制御部６は、高速記録を終了する時刻を求める（ステップＳ１０１）。具体的には、高速記録時間は一定であり、予めプログラム等に設定されている。制御部６は、大容量メモリ３の入力保存メモリ空間３ａに記録されているタイムスタンプデータを取得し、現在再生している映像の放送時刻、即ち、高速記録を開始する時刻を求める。そして、制御部６は、予め設定されている高速記録時間を求めた高速記録開始時刻に加えることにより、高速記録終了時刻を求める。なお、上記高速記録時間には、高速記録のセットアップ時間が含まれている。
【００３８】
次に、制御部６は、高速記録を行う際の記録速度を求める（ステップＳ１０２）。上記したように、番組の再生終了と記録終了とを合わせるためには、所定の高速記録時間内に、高速記録終了時刻までに再生される分のデータを記録媒体に記録しなければならない。
【００３９】
図４に示すように、再生中である番組の放送開始時刻をａ、高速記録開始時刻をｂ、高速記録時間をｘ、高速記録時の記録速度をｙとすると、以下に示す数式１の関係が成り立つ。制御部６は、大容量メモリ３の入力保存メモリ空間３ａに記録されているタイムスタンプデータを取得し、再生中番組の放送開始時刻（ａ）を求め、数式１を用いて記録速度（ｙ）を求める。
【００４０】
【数１】
ｙ＝（ｂ＋ｘ−ａ）／ｘ
ａ：記録対象番組の放送開始時刻
ｂ：高速記録開始時刻
ｘ：高速記録時間
ｙ：高速記録時の記録速度
【００４１】
その後、制御部６は、ステップＳ１０２で求めた記録速度（ｙ）で、再生中番組の高速記録を開始する（ステップＳ１０３）。具体的には、制御部６は、大容量メモリ３の入力保存メモリ空間３ａから、再生中番組の映像圧縮データを、番組の先頭から順番に取得する。そして、制御部６は、映像記録再生部４を制御し、ステップＳ１０２で求めた記録速度で、取得した映像圧縮データを記録媒体に記録する。これにより、再生中番組が、その先頭から高速度で録画される。なお、高速記録が行われている間も、再生中番組は通常速度で再生されている。
【００４２】
そして、制御部６は、大容量メモリ３の入力保存メモリ空間３ａに記録されているタイムスタンプデータから、現在記録している映像の放送時刻を求める（ステップＳ１０４）。
【００４３】
続いて、制御部６は、ステップＳ１０４で求めた放送時刻がステップＳ１０１で求めた高速記録終了時刻と一致するか否かを判別する（ステップＳ１０５）。これにより、制御部６は、予め設定された高速記録時間が終了したか否かを判別する。
【００４４】
放送時刻が高速記録終了時刻と一致しないと判別した場合（ステップＳ１０５；ＮＯ）、制御部６は、高速記録時間が終了していないと判別し、ステップＳ１０４にリターンする。
【００４５】
一方、放送時刻が高速記録終了時刻と一致したと判別した場合（ステップＳ１０５；ＹＥＳ）、制御部６は、高速記録時間が終了したと判別する。そして、制御部６は、映像記録再生部４を制御し、記録速度を通常速度（１倍速）に切り替えることにより、再生中番組の通常記録を開始する（ステップＳ１０６）。
【００４６】
そして、制御部６は、再生中である番組が終了したか否かを判別する（ステップＳ１０７）。具体的には、制御部６は、再生中である番組の映像圧縮データを最後まで再生したか否かを判別する。
【００４７】
再生中番組が終了していないと判別した場合、即ち、再生中番組の映像圧縮データを最後まで再生していないと判別した場合（ステップＳ１０７；ＮＯ）、制御部６は、ステップＳ１０７にリターンする。
【００４８】
一方、再生中番組が終了したと判別した場合、即ち、再生中番組の映像圧縮データを最後まで再生したと判別した場合（ステップＳ１０７；ＹＥＳ）、制御部６は、映像記録再生部４の記録動作を停止させ（ステップＳ１０８）、映像記録処理を終了する。
【００４９】
以上のようにして、記録中である映像の放送時刻と高速記録終了時刻とが一致するまで高速記録を行い、その後に通常速度で記録を行うことにより、映像圧縮データの再生と記録とを実質的に同時に終了させることができる。結果として、大容量メモリ２から再生される映像圧縮データを、従来よりも短い時間で記録媒体に記録することができる。
【００５０】
なお、大容量メモリ２に映像圧縮データを記録しながら再生も行い、さらに記録媒体への記録も並行して行ってもよい。この場合も、上記と同様の映像記録処理を行うことにより、従来よりも短い時間で記録媒体に映像圧縮データを記録することができる。
【００５１】
また、上記実施の形態では、番組を構成する画像の放送時刻という絶対時間を用いたが、番組の先頭（始まり）を基準とした時刻（相対時間）を用いても、上記と同様の処理を実行することができる。
【００５２】
また、上記実施の形態では、高速記録時間を一定とし、高速記録を開始する時刻に応じて高速記録を行う際の記録速度を変更する場合を例として示した。しかし、高速記録を行う際の記録速度を一定とし、高速記録を開始する時刻に応じて高速記録時間を変更するようにしてもよい。例えば、高速記録を行う際の記録速度を可能な最大値に設定し、記録している画像の放送時刻と再生している画像の放送時刻とが一致するまで高速記録を行い、その後は通常速度で記録を行うようにしてもよい。このようにしても、番組の再生と記録とを実質的に同時に終了させることができるので、従来よりも短い時間で記録媒体に映像圧縮データを記録することができる。
【００５３】
また、本発明の装置は、映像だけでなく音声や一般のデータを処理する装置に適用することができる。
【００５４】
また、本発明の装置は、専用の装置を用いる必要はなく、通常のコンピュータにより実現することができる。例えば、コンピュータに上記した各処理を実行させるためのプログラム及びデータを記録媒体（ＦＤ、ＣＤ−ＲＯＭ、ＤＶＤ等）に記録して配布し、これをインストールしてＯＳ上で実行することにより、この発明の装置を実現できる。また、上記プログラム及びデータは、インターネット上のサーバ装置が有するディスク装置等に格納しておき、コンピュータに、例えば搬送波に重畳してダウンロード等するものとしてもよい。
【発明の効果】
以上の説明から明らかなように、本発明によって、データの記録速度を制御することができる。
【図面の簡単な説明】
【図１】本発明の実施の形態にかかる映像記録再生装置の構成図である。
【図２】（ａ）は、図１に示す映像記録再生装置を構成するチャンネルデコーダ部の構成図であり、（ｂ）は、図１に示す映像記録再生装置を構成する大容量メモリが有するメモリ空間の構成図である。
【図３】図１に示す映像記録再生装置を構成する制御部が行う映像記録処理を示すフローチャートである。
【図４】図１に示す映像記録再生装置により実現される、映像の再生時間と記録時間との関係を示す図である。
【図５】従来の記録装置によって実現される、映像の再生時間と記録時間との関係を示す図である。
【符号の説明】
１    操作部
２    チャンネルデコーダ部
３    大容量メモリ
３ａ  入力保存メモリ空間
３ｂ  出力メモリ空間
４    映像記録再生部
５    コネクタ部
６    制御部
１０  映像表示装置
２１  復調・誤り訂正部
２２  タイムスタンプ生成部
【図１】
0003887555.tif 000002
【図２】
0003887555.tif 000003
【図３】
0003887555.tif 000004
【図４】
0003887555.tif 000005
【図５】
0003887555.tif 000006